(57)【要約】【課題】回転中にブランクが浮き上がり易く、特に、ブランクが細く軽い場合にはその傾向が顕著であった。業務用の釣竿用回転式コーティング乾燥機ではそのような不都合は無いが、構造が複雑で高価となる上に、操作も容易ではない。【解決手段】一対の挟持アーム２５、２５には、それぞれ先端側に前記ブランクに接触して押圧支持する二つの部位を有する「く」の字状挟持部が設けられており、前記「く」の字状挟持部は側方視にて互いに谷側を向けて交差しながら、軸方向に対してそれぞれ斜め姿勢でブランクＢを抱え込んで、それぞれの二つの部位が前記ブランクを挟んで対向している。上記の構造は簡易で、操作も従来品と同様に容易でありながら、回転中にブランクが浮き上がることは無い。【選択図】    図６
2012157309.tif 000002
【特許請求の範囲】
【請求項１】
それぞれの挟持部が相対して近接離間する棒状の一対の挟持アームを備え、前記挟持アームに付与されたバネ性により前記挟持部が近接離間する釣竿用回転式コーティング乾燥機において、
一対の挟持アームには、それぞれ先端側に前記ブランクに接触して押圧支持する二つの部位を有する「く」の字状挟持部が設けられており、
前記「く」の字状挟持部は側方視にて互いに谷側を向けて交差しながら、軸方向に対してそれぞれ斜め姿勢でブランクを抱え込んで、それぞれの二つの部位が前記ブランクを挟んで対向していることを特徴とする釣竿用回転式コーティング乾燥機。
【請求項２】
請求項１に記載した釣竿用回転式コーティング乾燥機において、
一対の挟持アームにはそれぞれブランクの軸方向に伸びる押圧部が設けられており、この押圧部を互いに近づく方向に押圧して弾性的に撓ませることでそれぞれの挟持部が互いに離間して開くことを特徴とする釣竿用回転式コーティング乾燥機。
【請求項３】
請求項１または２に記載した釣竿用回転式コーティング乾燥機において、
一対の挟持アームは同じ形状の２つの部材で構成されていることを特徴とする釣竿用回転式コーティング乾燥機。
【発明の詳細な説明】
【技術分野】
【０００１】
本発明は、釣竿のブランクにリールシートやガイドを装着する際に用いる釣竿用回転式コーティング乾燥機に関するものである。
【背景技術】
【０００２】
通常、釣竿のブランクにリールシートやガイドを装着する際には、ブランクにリールシートやガイドの取付足を当て糸で巻き回して一体にした後に、さらにエポキシ樹脂等のコーティング剤をその上から施して乾燥固化させている。そして、コーティング剤を施す際には、コーティング剤が垂れたりせず、コーティング厚が周面で均一となるように、ブランクを回転させる。
【０００３】
非特許文献１は、ブランクを回転させるものであり、フィニッシングモーターとそこでは表記されているが、これは一般の釣り人が使うことを想定している簡易な釣竿用回転式コーティング乾燥機の代表的な市販品である。この釣竿用回転式コーティング乾燥機では、２つの支持スタンドが離間して配置され、一方の支持スタンド側ではブランクの基端部が回転可能に一対の挟持アームの間に挟み込まれて支持され、他方の支持スタンド側ではブランクの中間部が凹部に上側から降ろされ載置されている。一対の挟持アームはモーターの回転軸に連結されており、モーターから回転力を受け取って挟み込んだブランクを回転させるようになっている。
【先行技術文献】
【非特許文献】
【０００４】
【非特許文献１】富士工業株式会社のパンフレット  ２００９年発行
【発明の概要】
【発明が解決しようとする課題】
【０００５】
而して、非特許文献１の釣竿用回転式コーティング乾燥機では、図１０に示すように、回転中に他方の支持スタンド側に載置させた部位が浮き上がり易く、特に、ブランクが細く軽い場合にはその傾向が顕著であった。
業務用の釣竿用回転式コーティング乾燥機ではそのような不都合は無いが、構造が複雑で高価となる上に、操作も容易ではない。
【０００６】
それ故、本発明は、一般の釣り人が使い易いように、安価に提供でき、操作も容易とする特徴は維持しながら、上記課題を解決できる釣竿用回転式コーティング乾燥機を提供することを目的とする。
【課題を解決するための手段】
【０００７】
本発明者は、鋭意研究の結果、非特許文献１の釣竿用回転式コーティング乾燥機では、図１１に示すように、一対の挟持アーム１０１、１０３がブランクＢを挟み込んだときには、ブランクＢが挟持アーム１０１の挟持部上の●で示す二点の部位と、挟持アーム１０３の挟持部上の●で示す二点の部位とで押圧支持されることになり、結果として四点支持されることになるが、上面図で示すように、挟持アーム１０１側の押圧支持部位と、挟持アーム１０３側の押圧支持部位とはブランクＢを挟んで対向しておらず、軸方向にずれている。
そのため、矢印に示すような方向に回転モーメントが働き易くなっており、特に、図１２に示すように、ブランクＢが細くて軽い場合には、回転中にその方向に外力が加えられることで、回転モーメントが容易に働いて他方の支持スタンド側に載置させた部位を浮き上がられていたことを確認し、さらに一対の挟持アーム１０１、１０３の形状に工夫を凝らすことでかかる問題点を解消できることを見出した上で、本発明を完成するに至った。
【０００８】
本発明の請求項１の発明は、それぞれの挟持部が相対して近接離間する棒状の一対の挟持アームを備え、前記挟持アームに付与されたバネ性により前記挟持部が近接離間する釣竿用回転式コーティング乾燥機において、一対の挟持アームには、それぞれ先端側に前記ブランクに接触して押圧支持する二つの部位を有する「く」の字状挟持部が設けられており、前記「く」の字状挟持部は側方視にて互いに谷側を向けて交差しながら、軸方向に対してそれぞれ斜め姿勢でブランクを抱え込んで、それぞれの二つの部位が前記ブランクを挟んで対向していることを特徴とする釣竿用回転式コーティング乾燥機である。
【０００９】
請求項２の発明は、請求項１に記載した釣竿用回転式コーティング乾燥機において、一対の挟持アームにはそれぞれブランクの軸方向に伸びる押圧部が設けられており、この押圧部を互いに近づく方向に押圧して弾性的に撓ませることでそれぞれの挟持部が互いに離間して開くことを特徴とする釣竿用回転式コーティング乾燥機である。
【００１０】
請求項３の発明は、請求項１または２に記載した釣竿用回転式コーティング乾燥機において、一対の挟持アームは同じ形状の２つの部材で構成されていることを特徴とする釣竿用回転式コーティング乾燥機である。
【発明の効果】
【００１１】
本発明の釣竿用回転式コーティング乾燥機によれば、モーターの駆動による回転中でも、ブランクの水平姿勢を安定的に維持できる。
【図面の簡単な説明】
【００１２】
【図１】本発明の釣竿用回転式コーティング乾燥機の使用状態を示す斜視図である。
【図２】図１の第１の実施の形態に係るチャック部側の斜視図である。
【図３】図２のチャック部側の側面図である。
【図４】図２に設けられた挟持アームの斜視図である。
【図５】図２に設けられた挟持アームによるブランクの挟持方法の説明図である。
【図６】図５で太いブランクを挟持した状態を示す、前面図と上面図と側面図である。
【図７】図５で細いブランクを挟持した状態を示す、前面図と上面図と側面図である。
【図８】本発明の第２の実施の形態に係るチャック部を示す斜視図である。
【図９】本発明の第３の実施の形態に係るチャック部を示す一部破断上面図である。
【図１０】従来品の使用状態の斜視図である。
【図１１】図１０のチャック部の前面図と上面図と側面図である。
【図１２】図１０より細いブランクを挟持した状態を示す上面図である。
【発明を実施するための形態】
【００１３】
先ず、釣竿用回転式コーティング乾燥機１の構成を説明する。
図１で示す符号３は一方側の支持スタンドを示し、この支持スタンド３は一枚の金属板が屈曲されてベース部とその一端側から立ち上がった支持部５が形成されている。一方の支持スタンド３の支持部には上端から下方に向かってＶ字状に切り込まれてＶ字状の凹部７が支持部に形成されている。
【００１４】
符号９は他方側の支持スタンドを示し、この支持スタンド９も一枚の金属板が屈曲されてベース部とその一端側から立ち上がった支持部１１が形成されている。図２、図３で示すように、この支持部１１の裏面側にはモーター１３が取り付けられており、そのモーター１３の回転軸１５は支持部１１の連通穴を通って表面側まで突出している。
符号１７はチャック部を示し、このチャック部１７にはホルダー１９が備えられている。ホルダー１９は円柱状を為し、その基端側には断面円状の穴が形成されている。その穴が上記したモーター１３の表面側に突出した回転軸１５に嵌め込まれ、側面から差し込まれたネジ２１で回転軸１５が押圧されて、チャック部１７はモーター１３の回転軸１５と回転力伝達可能に連結されている。
ホルダー１９の先端側には前部から両側部にかけては連続する溝部２３が形成されている。そして、この溝部２３の底部には２つの細孔がそれぞれ両端部寄りに形成されている。
【００１５】
符号２５は挟持アームを示し、この挟持アーム２５は一本の弾性の金属線材が曲げられて構成されたものであり、棒状を為している。一対の挟持アーム２５、２５が上記したホルダー１９に保持されている。
【００１６】
図４で示すように、挟持アーム２５には、バネ性を作り出すために基端軸２５ａ側で一回りされて円弧部２５ｂが形成され、さらにその円弧部２５ｂから斜め外方に張り出して張出し部２５ｃが形成されている。
張出し部２５ｃの先方では曲げ返され元の水平姿勢にやや戻されて、押圧部２５ｄが形成されている。
押圧部２５ｄの先方では垂直に近い姿勢まで曲げ起こされた上で、三箇所にわたって曲げられてフック状に擬されている。押圧部２５ｄ側の「く」の字状部分が回り込み部２５ｅで、その先方側が「く」の字状挟持部２５ｆになっている。いずれも、先方側に向かって傾斜しているが、特に、「く」の字状挟持部２５ｆは大きく先方側に向かって傾斜している。
【００１７】
２つの挟持アーム２５を使用することにより部品点数は二点になるが、同じ形状でしかも比較的単純な構造でバネ性を作り出せるので、製造負担は少なくなっている。
「く」の字状挟持部２５ｆはプラスチック製の可撓性チューブ２７に通されている。
【００１８】
上記した構成の一対の挟持アーム２５、２５は、ホルダー１９の溝部２３の底部に形成された２つの細孔にそれぞれの基端軸２５ａ、２５ａが挿入され固定保持される。
図２、図３に示すように、一対の挟持アーム２５、２５は、それぞれの円弧部２５ｂ、２５ｂが重ね合わされた状態で溝部２３内に殆ど収まっており、それぞれの張出し部２５ｃ、２５ｃが互いに反対方向外方に張り出している。この状態では、「く」の字状挟持部２５ｆ、２５ｆは回転対称で相対しており、側方視では互いに谷側を向けて交差している。
【００１９】
次に、釣竿用回転式コーティング乾燥機１の使用方法を説明する。
図１に示すように、ブランクＢの中間部を一方側の支持スタンド３のＶ字状の凹部７に上側から降ろして載置し、ブランクＢの基端部をチャック部１７に挟持させて、ブランクＢを回転可能に保持する。そして、モーター１３を駆動させてブランクＢに回転させながら、コーティング剤の施工を行う。
【００２０】
図５に示すように、ブランクＢの基端部をチャック部１７に挟持させる際には、一対の挟持アーム２５、２５のそれぞれの「く」の字状挟持部２５ｆ、２５ｆをそれぞれの谷底部である谷曲げ部２５ｇで予め交錯させておく。
その状態では、それぞれの押圧部２５ｄ、２５ｄは、互いに平行に近い状態で対向している。親指と人差し指で外方からそれぞれ互いに近づく方向に付勢力に抗して押圧して弾性的に撓ませることで、それぞれの「く」の字状挟持部２５ｆ、２５ｆを互いから離して開かせ、ブランクＢの挿入空間を作り出す。そして、その空間にブランクＢを基端部側から適当な長さ分差し込んだ後に押圧部２５ｄ、２５ｄから指を離すことで、「く」の字状挟持部２５ｆ、２５ｆをブランクＢ側に戻して挟持させる。
【００２１】
挟持時には、「く」の字状挟持部２５ｆ、２５ｆが軸方向に対してそれぞれ斜め姿勢でブランクＢを抱え込んだ状態になっており、各「く」の字状挟持部２５ｆが図６、図７中の●で示す四点でブランクＢを押圧支持している。
【００２２】
図６は、太いブランクＢを挟持した状態を示す。この状態では、上面図や側面図に現れるように、側方視で、一方側の「く」の字状挟持部２５ｆの●ａと他方側の「く」の字状挟持部２５ｆの●ｃはブランクＢを挟んで対向している。また、一方側の「く」の字状挟持部２５ｆの●ｂ、と他方側の「く」の字状挟持部２５ｆの●ｄは水平支持されたブランクＢを挟んで上下方向で対向している。
したがって、図１０、図１１に示す従来品とは異なり、回転モーメントが働き難くなっている。
【００２３】
図７は、細いブランクＢを挟持した状態を示す。この状態でも、上面図や側面図に現れるように、側方視で、一方側の「く」の字状挟持部２５ｆの●ａと他方側の「く」の字状挟持部２５ｆの●ｃはブランクＢを挟んで対向している。また、一方側の「く」の字状挟持部２５ｆの●ｂ、と他方側の「く」の字状挟持部２５ｆの●ｄは水平支持されたブランクＢを挟んで上下方向で対向している。
したがって、図１０、図１１に示す従来品とは異なり、回転モーメントが働き難くなっている。
【００２４】
本発明の第２の実施の形態に係る挟持アーム２９を、図８に従って説明する。
この挟持アーム２９には、押圧部２５ｄに相当する部分が無く、張出し部２５ｃが回り込み部２５ｅに連続している。この挟持アーム２９をホルダーに取付ける場合には張出し部２５ｃと回り込み部２５ｅの境界乃至その付近を押圧して字状挟持部２５ｆ、２５ｆを開かせることになる。
【００２５】
本発明の第３の実施の形態に係るチャック部３１を、図９に従って説明する。
このチャック部３１では、挟持アーム３３、３３は一本の線材により構成されており、途中で交差している。ホルダー３５は外側コイルバネ３７により受口３９が進退自在に付勢されており、この中に挟持アーム３３、３３を繋ぐ基端部が押し込まれている。基端部側は内側コイルバネ４１により外方に開くように付勢されており、受口３９を基端側に押し戻すことにより、挟持アーム３３の予め付勢されている張出し部２５ｃが内方に張出すようになっている。
【００２６】
以上、本発明の実施の形態を説明したが、本発明の具体的構成が上記の実施の形態に限定されるものではなく、本発明の要旨から外れない範囲での設計変更があっても本発明に含まれる。
例えば、挟持アームを構成する細材は、必要なバネ性を作りだせるものであれば、どのようなものでもよい。
また本発明の釣竿用回転式コーティング乾燥機は、チャック部の挟持アームの形状に特徴を有するものであり、ブランクを回転しながら保持でき、コーティング剤の施工を行えるものである限り、その余の構成は、例えば支持スタンド等はどのようなものでもよい。
いずれにしても、特許請求されている形状等を除いては、従来からあるまたは将来案出される形状や製造を任意に組み合わせることができる。
【産業上の利用可能性】
【００２７】
本発明に係る釣竿用回転式コーティング乾燥機の挟持アームは従来品の挟持アームと曲げ方を変えただけなので、部品点数も従来品と同様に少なくて済む。
【符号の説明】
【００２８】
１‥‥釣竿用回転式コーティング乾燥機
３‥‥支持スタンド                  ５‥‥支持部
７‥‥凹部７                        ９‥‥支持スタンド
１１‥‥支持部                      １３‥‥モーター
１５‥‥回転軸                      
１７‥‥チャック部（第１の実施の形態）
１９‥‥ホルダー                    ２１‥‥ネジ
２３‥‥溝部                        ２５‥‥挟持アーム
２５ａ‥‥基端軸                    ２５ｂ‥‥円弧部
２５ｃ‥‥張出し部                  ２５ｄ‥‥押圧部
２５ｅ‥‥回り込み部                ２５ｆ‥‥「く」の字状挟持部
２７‥‥可撓性チューブ            
２９‥‥挟持アーム（第２の実施の形態）
３１‥‥チャック部（第３の実施の形態）
３３‥‥挟持アーム                  ３５‥‥ホルダー
３７‥‥外側コイルバネ              ３９‥‥‥受口
４１‥‥内側コイルバネ
Ｂ‥‥ブランク
【図１】
2012157309.tif 000003
【図２】
2012157309.tif 000004
【図３】
2012157309.tif 000005
【図４】
2012157309.tif 000006
【図５】
2012157309.tif 000007
【図６】
2012157309.tif 000008
【図７】
2012157309.tif 000009
【図８】
2012157309.tif 000010
【図９】
2012157309.tif 000011
【図１０】
2012157309.tif 000012
【図１１】
2012157309.tif 000013
【図１２】
2012157309.tif 000014